(57)【要約】【課題】好適な配送用シールを提供する。【解決手段】剥離基材面上に粘着剤層を介して紙基材２が積層された材料からなり、紙基材２に配送物に貼付される四角形状の配送物貼付シール部１２が形成された速達、通常便何れかの取扱種別を選択して使用できる配送用シール１であって、前記貼付シール部１２は配送用シールの上辺と下辺に外側に突出したつまみ３ａ，３ｂを有し、紙基材を貫通するシール周縁切込み１３によって区画され、さらに、前記貼付シール部は、その短辺に平行に形成され紙基材を貫通する二本の切取ミシン１４ａ，１４ｂによって主シール部１２１とその両側の副シール部１２ａ，１２ｂに分離可能にされ、前記一方のつまみを摘んで配送物貼付シール部１２をシール周縁切込み１３に沿って剥離した際に、剥離を開始した側の副シール部が主シール部１２１を伴って剥がされ、他方のつまみが形成された側の副シール部が顧客控１１に残される。【選択図】  図１
2013200556.tif 000002
【特許請求の範囲】
【請求項１】
内側に四角形状の配送物貼付シール部を有する顧客控が紙基材に形成され、当該紙基材が粘着剤層を介して剥離基材の剥離処理面上に積層されている配送用シールであって、
前記四角形状の配送物貼付シール部は、外枠となる顧客控からシール周縁切込みによって区画されるとともに、該配送物貼付シール部の左右の辺に平行に形成された２本の切取ミシンによって、該２本の切取ミシン間の主シール部と、その両側の左右の副シール部とを有するようにされ、さらに前記配送物貼付シール部の上辺中央の左寄りには、顧客控側に突出した一方のつまみが、下辺中央の右寄りには、顧客控側に突出した他方のつまみが前記シール周縁切込みによって形成されている形態において、
前記二つのつまみの内、一方のつまみを摘んでシール周縁切込みに沿って配送物貼付シール部を前記剥離基材から引き剥がした際に、引き剥がしを開始した側の副シール部を伴って引き剥がされ、対向する他方のつまみが形成された側の副シール部が顧客控に残るようにされていることを特徴とする配送用シール。
【請求項２】
一方の切取ミシンに近接する主シール部と副シール部には配送物の取扱種別を示す二種類の標識の一つが、他方の切取ミシンに近接する主シール部と副シール部には配送物の取扱種別を示す二種類の標識の他の一つが印刷によって表示され、さらに前記それぞれの切取ミシンを跨ぐように配送物の大きさまたは厚みを示す文字及び該文字を囲むようにしたマークガイドが印刷されていることを特徴とする請求項１記載の配送用シール。
【請求項３】
シール周縁切込みの左側の辺に近接する副シール部と顧客控には配送物の取扱種別を示す二種類の標識の一つが、シール周縁切込みの右側の辺に近接する副シール部と顧客控には配送物の取扱種別を示す二種類の標識の他の一つが印刷によって表示され、さらに前記それぞれ左右のシール周縁切込みの辺を跨ぐように配送物の大きさまたは厚みを示す文字及び該文字を囲むようにしたマークガイドが印刷されていることを特徴とする請求項１記載の配送用シール。
【請求項４】
前記２本の切取ミシンは、それぞれ複数の補助カット部とアンカット部を有することを特徴とする請求項１ないし請求項３の何れか１の請求項記載の配送用シール。
【請求項５】
前記シール周縁切込みに、アンカット部が形成されていることを特徴とする請求項１ないし請求項４の何れか１の請求項記載の配送用シール。 
【発明の詳細な説明】
【技術分野】
【０００１】
本発明は、メール便と称される宅配の一形態に使用される配送用シールに関する。
【背景技術】
【０００２】
近年、カタログ等軽量な冊子状の印刷物その他の軽量物を対象とする「メール便」と呼ばれる宅配手段が多く利用されている。
この「メール便」は、配送業者が送り主から直接引き取り、集荷した配送物を配達地域別に仕分けして発送し、受取人の郵便受け等に配送物を投函して配送を完了するもので、配送物が投函可能な大きさのものに制限されている。また、このシステムでは、従来から実施されている宅配便とは異なり、配送物を受け渡す際に受取人から受領印や、サインを貰う、いわゆる判取りは行なわない。
【０００３】
通常の宅配システムでは、伝票に記載された番号で配送物の配送状況を管理しているが、「メール便」でも、個人情報保護の目的から管理番号のみが表示されたラベルが配送伝票とともに配送物に貼付されて配送状況の管理に使用されている。
そこで、配送物に届け先（受取人）の住所のみを記載し、併せて機械読取り用のコードだけが印刷されたラベルを貼付する配送システムが提供されている。
このシステムにおいては、受取人の確認は前述の機械読取り用のコードを携帯端末で読取ることによって、コードに紐付けされた受取人名を携帯端末の表示部に表示させることによって確認するというものである（例えば、特許文献１参照）。
【先行技術文献】
【特許文献】
【０００４】
【特許文献１】特開２００６−３２１６４７号公報
【発明の概要】
【発明が解決しようとする課題】
【０００５】
特許文献１で開示されている技術は、個人情報保護の観点からは有効なシステムであるが、投函された配送物には受取人の氏名が記載されていないため、家族が多い家庭の場合などは、誰宛のものか判断ができず困惑するという問題や、受取人の名前を端末に入力しなければならないという問題がある。
また、近年では、通常条件で送付される通常メール便のほかに、速達扱いの速達メール便も出現している。
そこで本発明は、宛先情報が記載されたラベル等とともに配送物に貼付され、小口の顧客向けの通常メール便、速達メール便の何れの取扱種別をも選択して使用できる配送用シールを提供することを目的とするものである。
【課題を解決するための手段】
【０００６】
前記課題の目的を達成するために本発明の配送用シールは、内側に四角形状の配送物貼付シール部を有する顧客控が紙基材に形成され、当該紙基材が粘着剤層を介して剥離基材の剥離処理面上に積層されている配送用シールであって、前記四角形状の配送物貼付シール部は、外枠となる顧客控からシール周縁切込みによって区画されるとともに、該配送物貼付シール部の左右の辺に平行に形成された２本の切取ミシンによって、該２本の切取ミシン間の主シール部と、その両側の左右の副シール部とを有するようにされ、さらに前記配送物貼付シール部の上辺中央の左寄りには、顧客控側に突出した一方のつまみが、下辺中央の右寄りには、顧客控側に突出した他方のつまみが前記シール周縁切込みによって形成されている形態において、前記二つのつまみの内、一方のつまみを摘んでシール周縁切込みに沿って配送物貼付シール部を前記剥離基材から引き剥がした際に、引き剥がしを開始した側の副シール部を伴って引き剥がされ、対向する他方のつまみが形成された側の副シール部が顧客控に残るようにされていることを特徴とする、ものである。
【０００７】
上記の配送用シールにおいて、一方の切取ミシンに近接する主シール部と副シール部には配送物の取扱種別を示す二種類の標識の一つが、他方の切取ミシンに近接する主シール部と副シール部には配送物の取扱種別を示す二種類の標識の他の一つが印刷によって表示され、さらに前記それぞれの切取ミシンを跨ぐように配送物の大きさまたは厚みを示す文字及び該文字を囲むようにしたマークガイドが印刷されている、ようにしてもよい。
【０００８】
上記の配送用シールにおいて、シール周縁切込みの左側の辺に近接する副シール部と顧客控には配送物の取扱種別を示す二種類の標識の一つが、シール周縁切込みの右側の辺に近接する副シール部と顧客控には配送物の取扱種別を示す二種類の標識の他の一つが印刷によって表示され、さらに前記それぞれ左右のシール周縁切込みの辺を跨ぐように配送物の大きさまたは厚みを示す文字及び該文字を囲むようにしたマークガイドが印刷されている、ようにしてもよい。
【０００９】
上記の配送用シールにおいて、前記２本の切取ミシンは、それぞれ複数の補助カット部とアンカット部を有する、ようにしてもよく、前記周縁切込みに、アンカット部が形成されている、ようにしてもよいものである。
【発明の効果】
【００１０】
（１）本発明の配送用シールは、従来は、「通常」メール便用と、「速達」メール便用の配送用シールを、別々に用意し使い分けする必要があったが、一つの配送用シールにまとめることができる。これにより、取り違えて使用されることもなく、在庫管理も容易になり、コストダウンを計ることもできる。
さらに、配送物貼付シール部の引き剥がし部（つまみ）が明確になっていて、正確、かつ、スピーディーに引き剥がし作業を行なうことができる。
（２）本発明の配送用シール（請求項２）は、２本の切取ミシンに近接する主シール部と副シール部には配送物の取扱種別を示す標識が表示され、さらに前記それぞれの切取ミシンを跨ぐように配送物の大きさまたは厚みを示す文字及びマークガイドが印刷されていることによって、配送物に配送物貼付シール部が貼付された状態でその配送物がどのような取扱種別のものかが明確に判別できる。また、副シール部にも取扱種別がわかる標識が残されるため、顧客が確認するのに便利である。
【００１１】
（３）本発明の配送用シール（請求項３）は、シール周縁切込みの左右の辺に近接する副シール部と顧客控には配送物の取扱種別を示す標識が表示され、さらに前記それぞれのシール周縁切込みの辺を跨ぐように配送物の大きさまたは厚みを示す文字及び該文字を囲むようにしたマークガイドが印刷されていることによって、配送物に配送物貼付シールが貼付された状態でその配送物がどのような取扱種別のものかが明確に判別できる。また、顧客控にも取扱種別がわかる標識が残されるため、顧客が確認するのに便利である。
（４）また、本発明の配送用シール（請求項４，５）においては、前記２本の切取ミシンは、それぞれ複数の補助カット部とアンカット部を有するようにし、前記周縁切込みに、アンカット部が形成されていることによって、シールの自然剥離を防止するとともに予定したシールの切取りを確実にすることができる。
【図面の簡単な説明】
【００１２】
【図１】本発明の配送用シールの一実施形態を説明する平面図である。
【図２】本発明の配送用シールの他の実施形態を説明する平面図である。
【図３】本発明の配送用シールのさらに他の実施形態を説明する平面図である。
【図４】図１の実施形態の配送用シールが速達メール便に使用される場合について説明する図である。
【図５】剥離した配送物貼付シール部と顧客控について説明する図である。
【図６】配送物貼付シール部が貼付された配送物の一例について説明する図である。
【図７】図３のシール周縁切込みと切取ミシンを拡大図示したもので、配送物貼付シール部の打ち抜き刃型形状に相当する図である。
【図８】シール周縁切込みと切取ミシンの他の刃型形状を説明する図である。
【発明を実施するための形態】
【００１３】
以下、図面を参照して、本実施形態の配送用シールについて説明する。
図１の平面図のように、本実施形態の配送用シール１は、長方形状等の紙基材２の内側に四角形状の配送物貼付シール部１２と問い合せ番号シール２１を有している。
配送物貼付シール部１２は、外枠となる顧客控１１からシール周縁切込み１３によって区画されている。該シール周縁切込み１３内には、左右の辺に平行な２本の切取ミシン１４ａ，１４ｂがさらに形成されている。
この切取ミシン１４ａ，１４ｂにより、配送物貼付シール部１２は、管理コード（バーコードと数字）２２を有する中央の主シール部１２１と、その両側の副シール部１２ａ，１２ｂの域に分割され、それぞれ分離可能にされている。
また、配送物貼付シール部１２には、通常便と速達便を区別する配送物の取扱種別表示２４と、配送物の大きさや厚み、送料を表示する配送情報２３、および該文字を囲むマークガイド２５が設けられている。マークガイド２５は長円の鎖線等であり、その線に沿ってマークすることを促すものである。
なお、取扱種別表示２４は、文字表示に代えて、記号やマーク、色彩等であってもよい。要するに種別を認識できる標識となるものであればよいものである。
【００１４】
配送物貼付シール部１２は、通常便用と速達便用とを区別して使用する必要があり、目的の種別のシールを切取りするために、つまみ３ａ，３ｂが形成されている。
紙基材２には、配送物貼付シール部１２の形状や文字、模様が印刷され、抜き刃型によりシール周縁切込み１３や切取ミシン１４ａ，１４ｂ、および問い合せ番号シール２１の形状が形成されている。抜き刃型形状は、外観的には殆ど目に見えないものである。
なお、配送物貼付シール部１２の四角形状には、長方形状や角丸長方形状を含み、上記のようにつまみ３ａ，３ｂのような突起形状等の付属形状による多少の変形を伴うものをも包含するものとする。
【００１５】
本実施形態の配送用シール１は、剥離基材の片面に粘着剤層を伴った紙基材２が貼り合わされている。剥離基材の粘着剤層と接する面には剥離処理が施されており、紙基材２の粘着剤が容易に剥離基材から剥がせるようになっている。従って、配送物貼付シール部４を剥離基材から剥離した場合は、下面に粘着剤層を伴っている。なお、シール周縁切込み１３や切取ミシン１４ａ，１４ｂの抜き刃型は、紙基材２と粘着剤層を切断するもので、剥離基材を切断してはいない。
【００１６】
剥がした配送物貼付シール部１２は配送物に貼付されるので、顧客控１１から配送物貼付シール部１２を剥がし取った残り部分が実質的な顧客控になることになる。
問い合せ番号シール２１には、管理コード２２と同一の問い合せ番号が印字されており、必要により剥離して別途の管理に使用することができる。
【００１７】
主シール部１２１には、上辺から顧客控１１側に突出したつまみ３ａと下辺から顧客控１１側に突出したつまみ３ｂが形成されている。図１の配送物貼付シール部１２は長方形状にされているが、つまみ３ａ，３ｂが長方形状から突出し、半円形の各つまみ３ａ，３ｂの底辺部分が長辺に平行ではなく裾を引くように傾斜している特徴がある。
つまみ３ａが左寄りにあって、つまみ３ｂが右寄りにあるのは、それに近い側の副シールを伴って剥離し易くし、他方側の副シール部を顧客控１１側に残すためである。
具体的には、つまみ３ａの中心は、主シール部１２１と副シール部１２ａの合計幅の中心付近に、つまみ３ｂの中心は、主シール部１２１と副シール部１２ｂの合計幅の中心付近に、位置するようにするのが好ましい。
このようにすることで、例えば、つまみ３ａを摘んで剥離すれば、主シール部１２１が副シール部１２ａを伴って剥離され、他方側の副シール部３ｂは、切取ミシン１４ａによって分離され、顧客控１１側に残るようになる。
【００１８】
シール周縁切込み１３には、アンカット部（非切断部）と補助カット部を複数箇所設けることができる。これは、つまみ３ａ，３ｂの選択により必要な副シール部１２ａ，１２ｂを伴って容易に切取りできるようにする目的である。ただし、シール周縁切込み１３はアンカット部や補助カット部がなくても使用できるので必須のものではない。
【００１９】
この配送物貼付シール部１２は、前記のように、主シール部１２１とその両脇の副シール部１２ａ，１２ｂに分離可能にされているが、主シール部１２１と副シール部１２ａ，１２ｂが切取り前に剥離しないように、切取ミシン１４ａ，１４ｂにも、０．５〜１．２ｍｍ程度長さのアンカット部を複数箇所形成する。剥離後も、一方の副シール部が主シール部に連接している必要があることと、連続したカット線の場合は、シールが自然に剥離し脱落することが生じ得るが、アンカット部はこれを防止するからでもある。
なお、製造現場では、シール周縁切込み１３につながるアンカット部を「つなぎ」と云い、それ以外のアンカット部を「とめ」として区別する場合もある。
【００２０】
顧客控１１の配送物貼付シール部１２の前記主シール部１２１と、副シール部を剥がした後に剥離基材上に残される顧客控１１には、配送物を追跡するための管理コード２２と同一番号による問い合せ番号シール２１が残っている。
【００２１】
また、図１に示すように、配送物貼付シール部１２には、切取ミシン１４ａ，１４ｂを跨ぐように、それぞれ配送物の大きさまたは厚みを示す文字（配送情報２３）と該文字を囲むマークガイド２５が印刷されている。
上述の配送物の大きさまたは厚みを示す文字には、配送物の大きさを示すＡ４、Ｂ４などの文字、および、１ｃｍ、２ｃｍなど配送物の厚さを示す数字などが含まれる。これらの配送情報２３は、送り主に配送料金を請求するときに利用される。
送り主または取扱店の店員は配送物に応じた表示を選択し、マークガイド２５に沿って筆記具でマーク４（図４参照）を付する。
【００２２】
一方、配送物貼付シール部１２の左右の切取ミシン１４ａ，１４ｂに近接（切取ミシンから０．５〜２．０ｃｍ程度の距離内）する位置には配送物の取扱種別表示２４が、切取ミシンの両側に、「通常」、「速達」、「通常サービス」、「速達サービス」などの文字で印刷されている。文字に限らずその他の標識を使用できるのは前述のとおりである。さらに、上下のつまみ部分には「通常時つまみ」、「速達時つまみ」などの引き剥がしのための「案内文言」が印刷されている。
【００２３】
図２は、本発明の配送用シールの他の実施形態を説明する平面図である。
図２図示の配送用シールの基本形態は、図１の配送用シールと同様であり、四角形状の配送物貼付シール部１２を有し、それを区画するシール周縁切込み１３や切取ミシン１４ａ，１４ｂ、つまみ３ａ，３ｂ、および問い合せ番号シール２１を有している。
【００２４】
図２図示の配送用シール１が、図１図示のものと異なる点は、シール周縁切込み１３の左側の辺に近接する顧客控１１と副シール部に、配送物の取扱種別表示２４の一方が印刷によって表示されており、シール周縁切込み１３の右側の辺に近接する顧客控１１と副シール部に、取扱種別表示２４の他の一方が印刷によって表示され、さらに前記それぞれのシール周縁切込み１３の左右の辺を跨ぐように配送物の大きさまたは厚みを示す文字（配送情報２３）および該文字を囲むようにしたマークガイド２５が印刷されていることである。また、速達時つまみと通常時つまみの位置が、図１の場合とは逆になっていることにも注意が必要である。
上記において、「辺に近接する」とは、双方の取扱種別表示２４が、シール周縁切込みから０．５〜２．０ｃｍ程度の距離内にあることは、図１の場合と同様である。
【００２５】
文字による取扱種別表示２４に代えて、記号やマーク、色彩等の標識であってもよいことも、図１の場合と同様である。
取扱種別表示２４とそのつまみを含む領域を、同一の色彩で統一することで間違いを少なくできる。例えば、「速達」の文字とつまみ３ａの領域を緑色または緑色白抜き文字にし、「通常」の文字とつまみ３ｂの領域を赤色または赤色白抜き文字にして、統一するように印刷する場合である。このように、取扱種別表示２４やマークガイド２５をシール周縁切込み１３の左右の辺近くに設ける場合は、副シール部１２ａ，１２ｂが切取られても、顧客控１１には、取扱種別表示２４の一部とマーク４が残る利点がある。
【００２６】
図３は、本発明の配送用シールのさらに他の実施形態を説明する平面図である。
図３図示の配送用シールの基本形態は、図２の配送用シールと同様であり、四角形状の配送物貼付シール部１２を有し、それを区画するシール周縁切込み１３や切取ミシン１４ａ，１４ｂ、つまみ３ａ，３ｂ、および問い合せ番号シール２１を有している。配送物の取扱種別表示２４がシール周縁切込み１３の左右の辺を跨ぐように印刷され、該文字を囲むようにしたマークガイド２５が印刷されていることも同様である。
【００２７】
図３図示の配送用シール１が、図２図示のものと異なる点は、シール周縁切込み１３の左右の辺にもアンカット部と補助カット部が形成されていることである。このアンカット部により副シール部１２ａ，１２ｂの予期しない脱落を防止できる。
図１〜図３図示の配送物貼付シール部４の左右の辺、および主シール部１２１とその両脇の副シール部１２ａ，１２ｂに分離する切取ミシン１４ａ，１４ｂは、「Ｖ」字形の補助カット部を有するようにされているが、片側に突き出た波型の形状のジッパーミシン形状でもよく、この形状に限られるものではない。「Ｖ」字形の補助カット部は、直前のアンカット部を受ける形状にされていて、切取り方向を矯正する効果を有している。
【００２８】
図４、図５を参照して、配送用シールの使用方法について説明する。
図４は、図１の実施形態の配送用シールが速達メール便に使用される場合について説明する図である。
取扱店では配送物の配送依頼があったときに、まず、集荷票（図示せず）に配送物の受取人欄に氏名を、品名欄にチェックマークを記載し、出荷票の金額記載欄に金額を、日付記載欄に受取日を記載する。
次に、配送物を確認して、配送用シール１の配送情報２３が印刷されている位置を確認し、マークガイド２５に沿って筆記具でマーク４を記載する。
配送物が「速達」扱いで依頼された場合は、配送用シール１に印刷されている「速達」の取扱種別表示２４に近く印刷されている配送情報２３の周囲のマークガイド２５に沿ってマーク４を記載する。
【００２９】
図４に示す実施形態では、配送物貼付シール部１２の上辺に「速達時つまみ」、下辺に「通常時つまみ」などの引き剥がしのための「案内文」が印刷されている。
送り主が配送物を速達扱いでの配送を希望している場合は、取扱店では、上側のつまみ３ａを摘んで配送物貼付シール部１２の剥離を開始する。つまみ３ａによって剥離基材から配送物貼付シール部１２を引き剥がしてゆくと、つまみ３ａ側の副シール部１２ａに主シール部１２１が連接した状態で剥離し、切取ミシン１４ａのカット部（切取ミシン１４ａとシール周縁切込み１３の上辺との交点部のカット部）で主シール部１２１と右側の副シール部１２ｂを分離し、さらに切取ミシン１４ａの複数のアンカット部を切断し、副シール部１２ａは主シール部１２１を伴って剥離する。従って、副シール部１２ｂは、顧客控１１側に残る。
【００３０】
図５は、剥離した配送物貼付シール部と顧客控について説明する図である。
配送物貼付シール部１２が剥離された顧客控１１は、図５（ａ）に、黒色で示すように剥離基材５が露出した状態で残される。
また、図５（ａ）（ｂ）に示すように、副シール部１２ｂと主シール部１２１にそれぞれマーク４の半分が残される。それにより、お問合せ番号が「１１２３−４５６７−８９０１」の配送物は「速達」扱いで、大きさが「Ａ４」サイズ（サイズを示す文字の横に表示された「２３０」は、配送料金を示す数字である。）の配送物であることが判る。
配送物の大きさを示す文字の「Ａ４」には併せて、または代えて配送物の厚さの目安数字が表示される場合もある。
【００３１】
図６は、配送物貼付シール部が貼付された配送物の一例について説明する図である。
配送物６には、宛先情報７が記載されており、図５（ｂ）のようにして剥離された配送物貼付シール部１２は、配送物６の宛先情報７以外の部分に貼付される。
配送担当者は、配送物を受取人の郵便受け等に投函する前に携帯端末で光学読取管理コード２２１を読取って、携帯端末の配送済みリスト（メモリ）にこの配送物が配送済みであることを記録する。
【００３２】
依頼主から問い合せ番号シール２１に基づき問い合せが有った場合は、光学読取管理コード２２１の記録を確認して配送物はすでに配送済みであることを伝えることができる。問い合せ番号は、数字、アルファベット、記号、仮名またはこれらの組合せで構成される。
【００３３】
なお、図２、図３の実施形態の使用については、図示していないが、図１の実施形態と同様にできることが理解できる。図２、図３の場合は、送り主が速達扱いでの配送を希望している場合は、副シール部１２ｂの「速達」の取扱種別表示２４近くに印刷されている配送情報２３の周囲のマークガイド２５に沿ってマーク４を記載し、下側のつまみ３ｂを摘んで配送物貼付シール部１の剥離を開始する。副シール部１２ｂは、主シール部１２１を伴って剥離し、副シール部１２ａは顧客控１１側に残る。
従って、マーク４は、シール周縁切込み１３の右辺の配送情報２３部分のマークガイド２５に付され、マーク４の半分も当該辺部分に残ることになる。また、図２、図３の実施形態の場合は、顧客控１１には、「通常サービス」と「速達サービス」の双方の文字が残るが、マーク４の付されている側の文字が取扱種別を示すことになる。
【００３４】
本実施形態で説明するメール便で扱われる配送物は、信書ではない軽量な配送物を対象としている。すなわち、手紙、はがき、請求書、納品書等の信書、運賃の範囲内で賠償できないもの、有価証券類等は対象としない。カード類もメール便としては扱われない。
また、他の配送物に損害を及ぼす毒物、動植物などもメール便では扱われない。なお、軽量とは、およそ２ｋｇ程度以内のものである。
【００３５】
本実施形態の説明では、つまみ３ａ，３ｂは半円形の突起状で示しているが、つまみの形状はこれに限られなくその他の形状であっても良い。ただし、配送用シール１に管理コードや、問い合せ番号、配送情報などをプリンタによってプリントする際に、つまみ部分から剥がれてプリンタ内で詰まらない形状にしなければならない。
【００３６】
図７を参照して、シール周縁切込みと切取ミシンについて説明する。
図７は、図３のシール周縁切込みと切取ミシンを拡大図示したもので、配送物貼付シール部１２の打ち抜き刃型形状に相当するものである。図１、図２のものとは異なり、シール周縁切込み１３の左右の辺にも補助カット部とアンカット部を形成した特徴がある。
シール周縁切込み１３の上側の切込み線と切取ミシン１４ａの接続部分は円弧でつながるようにされ、その部分に補助カット部Ｈ１とアンカット部Ｎ１を設けている。また、シール周縁切込み１３の下側の切込み線と切取ミシン１４ｂの接続部分も円弧でつながるようにされ、その部分に補助カット部Ｈ２とアンカット部Ｎ２を設けている。
つまみ３ａから剥離した場合は、補助カット部Ｈ１とアンカット部Ｎ１があるため、副シール部１２ｂが主シール部１２１に連接して切取されることを防止している。一方、つまみ３ｂから剥離した場合は、補助カット部Ｈ２とアンカット部Ｎ２があるため、副シール部１２ａが主シール部１２１に連接して切取されることを防止している。
【００３７】
また、シール周縁切込み１３の右辺には、５箇所の補助カット部（ｈ１〜ｈ５）とアンカット部が、シール周縁切込み１３の左辺には、５箇所の補助カット部（ｈ６〜ｈ１０）とアンカット部が設けられ、切取ミシン１４ａには５箇所の補助カット部（ｈ１１〜ｈ１５）とアンカット部が、切取ミシン１４ｂには５箇所の補助カット部（ｈ１６〜ｈ２０）とアンカット部が設けられている。これらの補助カット部は全て「Ｖ」字形状をしており、直前のアンカット部（アンカット部の符号を付していないが、線の途絶えた部分がアンカット部である。）を受ける形状で形成されている。
「Ｖ」字形状の補助カット部は、切取りが進行してくる方向に開いており、アンカット部で進行方向が多少反れても、本来の進行方向に戻して矯正する効果を行うことになる。アンカット部がなければ補助カット部を設ける必要はない。しかし、アンカット部がないと全て連続した切取線になってしまい、自然剥離が生じてしまうこともありえる。
上記において、アンカット部の長さは、０．５〜１．５ｍｍ程度、「Ｖ」字形状の補助カット部の片側の長さは、１〜３ｍｍ程度である。角度αは、１２５°から１４０°程度が好ましい。角度βは、１４０°から１６０°程度である。
【００３８】
図８は、シール周縁切込みと切取ミシンの他の刃型形状を説明する図である。
図８の場合も、シール周縁切込み１３の上側の切込み線と切取ミシン１４ａの接続部分は円弧Ｒ１でつながるようにされ、シール周縁切込み１３の下側の切込み線と切取ミシン１４ｂの接続部分は円弧Ｒ２でつながるようにされている。ただし、当該部分のシール周縁切込み１３には、補助カット部とアンカット部は設けられていない。この構造でも所定のつまみから剥離した場合に、目的の副シール部を伴うことができる。
シール周縁切込み１３の右辺に、５箇所の補助カット部（ｈ１〜ｈ５）とアンカット部が、周縁切込み１３の左辺に、５箇所の補助カット部（ｈ６〜ｈ１０）とアンカット部が設けられ、切取ミシン１４ａには５箇所の補助カット部（ｈ１１〜ｈ１５）とアンカット部が、切取ミシン１４ｂには５箇所の補助カット部（ｈ１６〜ｈ２０）とアンカット部が設けられている。このことは、図７の場合と同様である。アンカット部の長さは、０．５〜１．５ｍｍ程度、「Ｖ」字形状補助カット部の片側の長さは、１〜３ｍｍ程度である。角度αは、１２５°から１４０°程度が好ましい。
【００３９】
（配送用シールの製造について）
配送用シールの製造は、紙基材２と粘着剤を塗工した剥離基材５とをラミネートした後、該紙基材２に配送用シールの形状や文字、模様を印刷する。印刷とインラインの工程で、抜き刃型によりシール周縁切込み１３や切取ミシン１４ａ，１４ｂ、補助カット部やアンカット部、問い合せ番号シール２１を打ち抜く工程行う。打ち抜きは紙基材２（と粘着剤層）を切断するようにするが、剥離基材５までを切断しないようにする。
ここまでの工程は、マージナルゾーンに送り孔を有する連続紙の状態で行う。その後、ロット毎に、管理コード２２や問い合せ番号の印字を行う。この印字工程は、簡易プリンタによるものであって良い。印字工程は枚葉にして行ってもよい。
紙基材２には、十分な強度と印字適性および搬送適性を有するものであれば使用でき、例えば、上質紙、インクジェット紙、複写用紙、コート紙、等を使用できる。
【実施例】
【００４０】
（実施例１）
紙厚１７５μｍ（坪量１６５ｇ／ｍ２程度）の上質系インクジェット用紙２と剥離基材５とを粘着剤層を介してラミネートした後、インクジェット用紙２面に、顧客控１１や配送物貼付シール部１２の所定の文言等を印刷し、同時の工程で、周縁切込み１３や切取ミシン１４ａ，１４ｂ、問い合せ番号シール２１の打ち抜きを行った。
シール周縁切込み１３や切取ミシン１４ａ，１４ｂの打ち抜き刃型には、図７図示の形状のものを使用した。その際の配送物貼付シール部１２の長さＬ１は、６６ｍｍ、幅Ｌ２は、３３ｍｍ、Ｌ３は、１０ｍｍとし、各アンカット部の長さは、１．２ｍｍとし、補助カット部ｈの長さは、３．５ｍｍとした。補助カット部の角度αは１３５°、角度βは１５０°とした。配送用シール１全体の横幅は９０ｍｍ、縦寸法は７０ｍｍ程度になった。
その後、インキジェットプリンタを用いて、ロット毎に、問い合せ番号や管理コード２２の印字を行った。
【００４１】
（実施例２）
紙厚１７５μｍ（坪量１６５ｇ／ｍ２程度）の上質系インクジェット用紙２と剥離基材５とを粘着剤層を介してラミネートした後、インクジェット用紙２面に、顧客控１１や配送物貼付シール部１２の所定の文言等を印刷し、同時の工程で、周縁切込み１３や切取ミシン１４ａ，１４ｂ、問い合せ番号シール２１の打ち抜きを行った。
シール周縁切込み１３や切取ミシン１４ａ，１４ｂの打ち抜き刃型には、図８図示の形状のものを使用した。その際の配送物貼付シール部１２の長さＬ１は、７０ｍｍ、幅Ｌ２は、３５ｍｍ、Ｌ３は、１２ｍｍとし、各アンカット部の長さは、１．０ｍｍとし、補助カット部ｈの長さは、３ｍｍとした。補助カット部の角度αは１４０°、角度βは１４５°とした。配送用シール１全体の横幅は１００ｍｍ、縦寸法は７５ｍｍ程度になった。
その後、レーザービームプリンタを用いて、ロット毎に、問い合せ番号や管理コード２２の印字を行った。
【００４２】
実施例１、実施例２で得られた配送用シール１は、目的のつまみから剥離して、予定した配送物貼付シール部１２が得られ、好適に使用できるものであった。
【産業上の利用可能性】
【００４３】
メール便と称される宅配の一形態に使用される配送用シールに利用できる。
【符号の説明】
【００４４】
１      配送用シール
２      紙基材
３ａ，３ｂ    つまみ
４      マーク
５      剥離基材
６      配送物
７      宛先情報
１１    顧客控
１２    配送物貼付シール部
１２１  主シール部
１２ａ，１２ｂ    副シール部
１３    シール周縁切込み
１４ａ，１４ｂ    切取ミシン
２１    問い合せ番号シール
２２    管理コード
２２１  光学読取管理コード
２３    配送情報
２４    取扱種別表示
２５    マークガイド
Ｎ１，Ｎ２  アンカット部
Ｈ１，Ｈ２  補助カット部
ｈ１〜ｈ２０  補助カット部
【図１】
2013200556.tif 000003
【図２】
2013200556.tif 000004
【図３】
2013200556.tif 000005
【図４】
2013200556.tif 000006
【図５】
2013200556.tif 000007
【図６】
2013200556.tif 000008
【図７】
2013200556.tif 000009
【図８】
2013200556.tif 000010